(57)【要約】【課題】塩素で除菌能力を高めるために塩素濃度を上げる必要があるが、法定基準の残留濃度とするためには限界があるし、加熱殺菌するものでは、多くの水を利用する現場で加熱のためのランニングコストが大きくなる。【解決手段】管体１０内に銀イオン溶出部２０，３０と活水処理部４０を収容した状態で、入出水口１１を介して水を流下させるようにしたため、銀イオンの溶出に伴う殺菌と、活水処理された水道水の持つ除菌と、細菌の温床となるスライムの抑制により、相乗的に除菌性能を向上させることができる。【選択図】  図１
2004195313.tif 000002
【特許請求の範囲】
【請求項１】
入水口と出水口とを有する管体内に、銀製溶出源を備えて銀イオンを溶出させる銀イオン溶出部と、水を活性化させる活水処理部とを収容したことを特徴とする水除菌装置。
【請求項２】
上記銀イオン溶出部は、カゴ状容器内に上記銀製溶出源を収容していることを特徴とする上記請求項１に記載の水除菌装置。
【請求項３】
上記銀イオン溶出部は、迷路状容器内に上記銀製溶出源を収容していることを特徴とする上記請求項１に記載の水除菌装置。
【請求項４】
上記銀製溶出源は、粒状であることを特徴とする上記請求項１〜請求項３のいずれかに記載の水除菌装置。
【請求項５】
上記銀製溶出源は、繊維状であることを特徴とする上記請求項１〜請求項３のいずれかに記載の水除菌装置。
【請求項６】
上記銀製溶出源は、鉋屑状であることを特徴とする上記請求項１〜請求項３のいずれかに記載の水除菌装置。
【請求項７】
上記銀製溶出源は、筒状であることを特徴とする上記請求項１〜請求項３のいずれかに記載の水除菌装置。
【請求項８】
上記銀製溶出源は、非銀製品に銀メッキを施してあることを特徴とする上記請求項１〜請求項７のいずれかに記載の水除菌装置。
【請求項９】
上記銀製溶出源は、非銀製品に銀を蒸着してあることを特徴とする上記請求項１〜請求項７のいずれかに記載の水除菌装置。
【請求項１０】
上記銀製溶出源は、銀の焼成品であることを特徴とする上記請求項１〜請求項７のいずれかに記載の水除菌装置。
【請求項１１】
上記銀イオン溶出部は、上記銀製溶出源からなるパンチングメタルで形成されていることを特徴とする上記請求項１に記載の水除菌装置。
【請求項１２】
上記銀イオン溶出部は、上記パンチングメタルを積層して形成されていることを特徴とする上記請求項１１に記載の水除菌装置。
【請求項１３】
上記活水処理部は、透水容器に麦飯石を収容して構成されていることを特徴とする上記請求項１〜請求項１２のいずれかに記載の水除菌装置。
【請求項１４】
上記活水処理部は、透水容器にトルマリンを収容して構成されていることを特徴とする上記請求項１〜請求項１２のいずれかに記載の水除菌装置。
【請求項１５】
上記活水処理部は、透水容器にゼオライトを収容して構成されていることを特徴とする上記請求項１〜請求項１２のいずれかに記載の水除菌装置。
ことを特徴とする上記請求項１〜請求項９のいずれかに記載の水除菌装置。
【請求項１６】
上記活水処理部は、透水容器にセラミックを収容して構成されていることを特徴とする上記請求項１〜請求項１２のいずれかに記載の水除菌装置。
【請求項１７】
上記活水処理部は、強磁性体を収容して構成されていることを特徴とする上記請求項１〜請求項１２のいずれかに記載の水除菌装置。
【請求項１８】
上記活水処理部の強磁性体は、磁性体からなる磁気誘導部材を備え、複数の強磁性体における複数の磁気誘導部材を互いに近接して配置して形成されていることを特徴とする上記請求項１７に記載の水除菌装置。
【請求項１９】
上記銀イオン溶出部と、上記活水処理部は、上記管体内で組み替え可能なユニット形状となっていることを特徴とする上記請求項１〜請求項１８のいずれかに記載の水除菌装置。
【請求項２０】
上記ユニット形状は、上記筒内でタンデムに複数個を収容可能な形状であることを特徴とする上記請求項１９に記載の水除菌装置。
【請求項２１】
上記ユニット形状は、筒内を等分した所定の単位長を基準とする整数倍の長さとなっていることを特徴とする上記請求項２０に記載の水除菌装置。
【請求項２２】
入水口と出水口とを有する管体内に、銀製溶出源を備えて銀イオンを溶出させる銀イオン溶出部と、水を活性化させる活水処理部とを収容し、上記入水口から当該管体内を経て上記出水口へと水を通過させることにより、水を活水化しつつ銀イオンを溶出させて水を除菌することを特徴とする水除菌方法。
【発明の詳細な説明】
【０００１】
【発明の属する技術分野】
本発明は、水を除菌する水除菌装置および水除菌方法に関し、例えば、水道水、工業用水、空調管の冷温水や冷却水、風呂、温泉などの広範囲の水などに適用可能な水除菌装置および水除菌方法に関する。
【０００２】
【従来の技術】
従来、水を除菌するため塩素を加えており、残留塩素などについての法定基準も定められている。
また、さらなる除菌を求められる現場においては、水を一旦高温に加熱して加熱殺菌し、さらにさまして利用するものも知られている。
【０００３】
【発明が解決しようとする課題】
上述した従来の水除菌装置においては、次のような課題があった。
前者のものでは、除菌能力を高めるために塩素濃度を上げる必要があるが、法定基準の残留濃度とするためには限界がある。
後者のものでは、多くの水を利用する現場では加熱のためのランニングコストが大きくなる。
【０００４】
本発明は、上記課題にかんがみてなされたもので、ランニングコストを上げることなく満足のいく除菌効果を呈することが可能な水除菌装置および水除菌方法の提供を目的とする。
【０００５】
【課題を解決するための手段】
上記目的を達成するため、請求項１にかかる発明は、入水口と出水口とを有する管体内に、銀製溶出源を備えて銀イオンを溶出させる銀イオン溶出部と、水を活性化させる活水処理部とを収容した構成としてある。
【０００６】
上記のように構成した請求項１にかかる発明においては、入水口と出水口とを有する管体を水道管路に設置すると、水は入水口から当該管体内を経て出水口へと通過する。このとき、管体内に収容された銀イオン溶出部と活水処理部とを通過し、銀イオン溶出部の銀製溶出源にて銀イオンが溶出するとともに、活水処理部で水が活水化する。溶出する銀イオンは殺菌効果があり、これによる殺菌効果を期待できる。また、水を活水化することにより、当該管体以降の管路にはスライムなどの発生が抑制される。スライムは水中の細菌の温床となるが、スライムの抑制により、細菌の温床が無くなる上、活水化された水自体にも除菌効果が期待できる。従って、細菌の温床をなくし、細菌が繁殖しにくい活水の効果と、溶出した銀イオンによる殺菌効果により、これらが相乗的に作用してそれぞれ単体に期待できる効果の合計を上回る殺菌除菌効果が得られる。
【０００７】
また、スライムは細菌などの死骸や藻が原因となっているので、細菌が繁殖する前に殺菌させるし、活水の効果によって藻の発生も抑制されている。これにより、スライムの発生を相乗的に抑制させる効果が得られる。
【０００８】
また、請求項２にかかる発明は、上記銀イオン溶出部がカゴ状容器内に上記銀製溶出源を収容する構成としてある。
【０００９】
上記のように構成した請求項２にかかる発明においては、管体内にカゴ状容器が収容され、さらにカゴ状容器には銀製溶出源が収容されているので、水はカゴ状容器を通過する際に銀製溶出源の周囲を流下することになり、銀イオンの溶出を容易にする。
【００１０】
さらに、請求項３にかかる発明は、上記銀イオン溶出部は、迷路状容器内に上記銀製溶出源を収容している構成としてある。
【００１１】
上記のように構成した請求項３にかかる発明においては、管体内に迷路状容器が収容され、水は迷路状となった容器内部を通過する。ここで、迷路状容器には銀製溶出源が収容されているので、水は迷路状となった容器内部を通過する際に銀製溶出源の周囲を流下することになり、銀イオンの溶出を容易にする。
【００１２】
収容される銀製溶出源は、水が流下する際に銀イオンを溶出しやすい形状であることが好ましい。その一例とし、請求項４にかかる発明は、上記銀製溶出源が粒状としてあり、粒の周囲を水が取り巻くように流下し、銀イオンを溶出しやすくする。
【００１３】
他の一例として、請求項５にかかる発明は、上記銀製溶出源が繊維状となっており、繊維間を水が取り巻くように流下し、銀イオンを溶出しやすくする。
【００１４】
また、他の一例として、請求項６にかかる発明は、上記銀製溶出源が鉋屑状となっており、薄く表面積の広い鉋屑の周りを水が取り巻くように流下し、銀イオンを溶出しやすくする。
【００１５】
また、他の一例として、請求項７にかかる発明は、上記銀製溶出源が筒状となっており、筒内外を水が取り巻くように流下し、銀イオンを溶出しやすくする。
【００１６】
銀製溶出源は純度の高い銀のみならず、銀イオンを溶出可能な他の状態のものでもよい。その一例として、請求項８にかかる発明は、上記銀製溶出源が非銀製品に銀メッキを施して構成されており、表面の銀メッキ部位から水に銀イオンが溶出する。
【００１７】
他の一例として、請求項９にかかる発明は、上記銀製溶出源が非銀製品に銀を蒸着して構成されており、表面の銀蒸着部位から水に銀イオンが溶出する。
【００１８】
また、他の一例として、請求項１０にかかる発明は、上記銀製溶出源が銀の焼成品で構成されており、焼成品の表面から水に銀イオンが溶出する。
【００１９】
銀イオン溶出部の銀製溶出源はカゴ状容器や迷路状容器に収容されるのみならず、単体で収容されてもよく、その一例として、請求項１１にかかる発明は、上記銀イオン溶出部を上記銀製溶出源からなるパンチングメタルで形成した構成としてあり、水はパンチングメタルの表面を取り巻きながらパンチ穴などを通過し、上記入水口から出水口へと流下していくときに、銀イオンが溶出される。
【００２０】
さらに、請求項１２にかかる発明は、上記銀イオン溶出部は、上記パンチングメタルを積層して形成されている構成としてある。パンチングメタルを積層することにより、表面積が増加し、溶出させる銀イオンの量を増加させることができる。
【００２１】
一方、活水処理部は水を活水化させることができればよく、活水化する手法は様々なものを採用可能である。
その一例として、請求項１３にかかる発明では、上記活水処理部が透水容器に麦飯石を収容して構成されているし、請求項１４にかかる発明では、上記活水処理部が透水容器にトルマリンを収容して構成されているし、請求項１５にかかる発明では上記活水処理部が透水容器にゼオライトを収容して構成されているし、請求項１６にかかる発明では、上記活水処理部が透水容器にセラミックを収容して構成されている。
【００２２】
以上のような鉱物およびセラミックに依存するもののほか、強磁性空間を通過させて水を活性化させる活水化も利用可能であり、その一例として、請求項１７にかかる発明は、上記活水処理部は、強磁性体を収容して構成されている構成としてある。
上記のように構成した請求項１７にかかる発明においては、収容された強磁性体の周囲を水が流下する際に水を活性化させ、また、ロレンツ効果を発生させる。
【００２３】
さらに、請求項１８にかかる発明は、上記活水処理部の強磁性体は、磁性体からなる磁気誘導部材を備え、複数の強磁性体における複数の磁気誘導部材とを近接して配置して形成されている構成としてある。
上記のように構成した請求項１８にかかる発明においては、強磁性体のそれぞれに磁性体からなる磁気誘導部材が備えられ、複数の強磁性体における複数の磁気誘導部材を互いに近接させているので、その間では磁界が強力になっている。この間を通過することにより水を活性化させる能力が増大する。
【００２４】
銀イオン溶出部と活水処理部は管体内に一つずつ必ず備えなければならないものではなく、組み合わせを変えて収容するようにしてもよく、その一例として、請求項１９にかかる発明は、上記銀イオン溶出部と上記活水処理部は、上記管体内で組み替え可能なユニット形状となっている構成としてある。
【００２５】
上記のように構成した請求項１９にかかる発明においては、ユニット形状を採用することにより、上記銀イオン溶出部と上記活水処理部の組み合わせを変えることができ、必要に応じて上記銀イオン溶出部を増やしたり、上記活水処理部を増やしたりすることが可能となる。
【００２６】
さらに、請求項２０にかかる発明は、上記ユニット形状は、上記筒内でタンデムに複数個を収容可能な形状である構成としてあり、タンデムに並ぶ順序を変えて適宜組み合わせを変更できる。
【００２７】
さらに、請求項２１にかかる発明は、上記ユニット形状は、筒内を等分した所定の単位長を基準とする整数倍の長さとなっている構成としてあり、等長には限らない。
【００２８】
このように、銀イオン溶出部と活水処理部とを組み合わせて利用する手法は必ずしも実体のある装置に限られる必要はなく、その方法としても機能することは容易に理解できる。このため、請求項２２にかかる発明は、入水口と出水口とを有する管体内に、銀製溶出源を備えて銀イオンを溶出させる銀イオン溶出部と、水を活性化させる活水処理部とを収容し、上記入水口から当該管体内を経て上記取水口へと水を通過させることにより、水を活水化しつつ銀イオンを溶出させて水を除菌する構成としてある。
すなわち、必ずしも実体のある装置に限らず、その方法としても有効であることに相違はない。
【００２９】
【発明の効果】
以上説明したように本発明は、銀イオンによる殺菌効果を活水処理と組み合わせることによって相乗的に倍増させ、実用的に水を除菌することが可能な水除菌装置と水除菌方法を提供することができる。
【００３０】
【発明の実施の形態】
以下、図面にもとづいて本発明の実施形態を説明することとし、次の順番で説明していく。
（１）全体構成の説明：
（２）銀イオン溶出部の説明：
（３）活水処理部：
（４）相乗効果について：
【００３１】
（１）全体構成の説明
図１は、本発明の一実施形態にかかる水除菌装置の概略構成を断面図により示している。
同図において、管体１０は中央部分が太径となっており、両端には口径を細口とした入出水口１１を備えている。太径部分の内部はほぼ等径となっており、端部は徐々に口径が小さくなるように半球のドーム状となっている。上記入出水口１１は太径部の軸線に一致して形成されている。
【００３２】
太径部分は中央で分割でき、開口端にはフランジ部１０ａを形成して互いに連結されている。太径部分の内部は、特に仕切などを形成していないが、水の流下に支障を生じない程度のスペーサを介在させることにより、所定の収容空間３つ（Ａ，Ｂ，Ｃ）を形成してある。
また、太径部分の両端に形成した入出水口１１の端部には、フランジ１１ａを形成してあり、他の水道管路と連結可能となっている。
【００３３】
（２）銀イオン溶出部の説明
図２は、管体１０内に収容される銀イオン溶出部の一例を示している。
この銀イオン溶出部２０はステンレス製の骨材にステンレスのメッシュ材を溶接して組み立てたカゴ状部材２１に、以下の形状の銀製溶出源を収容して形成されている。
【００３４】
粒状体２２ａは、銀を粒状に形成したものである。粒径は数ｍｍ程度に形成してある。素材は、高濃度の銀でも良いし、粒状の担体表面に銀メッキを施したり、銀を蒸着させたりして形成しても良い。また、銀を含む焼成品であっても良い。
繊維状体２２ｂは、ステンレスウール等を担体として銀メッキを施したり、銀を蒸着させたりして形成しても良いし、高濃度の銀でも良い。所定の流量の水が流下する経路に収容されるものであるため、ある程度の強度が必要となり、この強度の面ではステンレスウール等を担体とすることが好ましい。繊維状とすることで銀イオンを比較的溶出しやすくすることができる。
【００３５】
鉋屑状体２２ｃは、薄い板片に形成した銀製品、および非銀製品に銀メッキを施したり、銀を蒸着させたりして形成したものである。板片とすることで全体の強度を保持しつつ、薄片とすることで単位重量あたりの表面積を増やしているので、銀イオンを比較的溶出しやすくすることができる。
筒状体２２ｄは、筒状に形成した銀製品、および筒状に形成した非銀製品に銀メッキを施したり、銀を蒸着させたりして形成したものである。筒状とすることで全体の強度を保持しつつ、外周面のみならず内周面をも利用して表面積を増やしているので、銀イオンを溶出しやすくすることができる。筒状体２２ｄは、水の流下に伴う圧力に耐え、表面積を大きくできる点で好ましい形状といえる。
【００３６】
図３は、他の例にかかる銀イオン溶出部の一例を示している。
同図に示す銀イオン溶出部３０は、スペーサ３１を介してパンチングメタル板３２を複数枚積層して形成されている。パンチングメタル板３２は、ステンレス製のパンチングメタル素材に銀メッキを施して形成されており、図中に示すように多数の小穴が形成されている。パンチングメタル素材はステンレス製に限られるものではなく、他の素材でも良い。また多孔質のセラミック素材に銀を蒸着して形成したり、銀を加えた焼成品として形成することもできる。
複数枚のパンチングメタル板３２を積層しているので、水を流下させるときに銀イオンを溶出させやすく、かつ、所定の圧力にも耐えられる構造となっている。
【００３７】
むろん、銀イオン溶出部の構成は上述したものに限られるものではなく、他の形状等を採用することも可能である。例えば、図４に示すように樹脂製の円柱状ケーシング３５を形成しつつ両端に開口３５ａ，３５ｂを形成し、内部には仕切壁３６にて複数室に分割する。ここで、仕切壁３６には隣室へと連通する連通口３６ａを形成するが、同連通口３６ａを隣り合う仕切壁３６同士で重ならないようにずらす（例えば１８０度）ことで、水がまんべんなく内部へ行き渡るようにする。むろん、内部には上述した銀製溶出源のいずれかを充填しておく。ケーシング３５の形状や開口３５ａ，３５ｂは流下させる水の圧力低下の原因となるので、必要以上に圧力低下を引き起こさないように位置合わせすればよい。
【００３８】
一方、銀イオンの溶出量や効能について説明する。
水１００ｇに対する、水温摂氏２５度の場合の銀の溶解度は、２．８×１０＊＊（−５）ｇである（「日本化学学会編」改訂４版  化学便覧  基礎編ＩＩ：水に対する単体および無機化合物の溶解度）。従って、水１リットル中の溶解度は、２．８×１０＊＊（−４）ｇである。
水の殺菌（消毒）に用いる場合の銀イオンは０．１（ｍｇ／リットル）で十分効果があるとされる。従って、上述した銀の溶解度は、０．２８（ｍｇ／リットル）であるから殺菌に必要な量の約３倍まで溶出可能である。
むろん、溶解度は水温とともに上昇するので、入浴用に利用する温水等（４０〜４２度前後）であれば、銀イオンの溶解度が増え、殺菌効果の増大を期待できる。
【００３９】
このような殺菌効果に加えて銀イオンの効能としては次のものがあげられる。
１．レジオネラ菌、大腸菌、Ｏ−１５７病原性大腸菌、抗酸菌（老人性結核菌）、ＭＲＳＡ，一般病原菌（耐性黄色ブドウ球菌）などの殺菌に効果がある。
２．塩素系薬剤のような刺激臭、肌荒れ、異臭味が一切なく、人体に優しいにもかかわらず、優れた殺菌効果がある。
３．配管、機器設備品、その他の建材、サッシなどの腐食の心配がない。
４．殺菌性能に対する水温の影響が全くないので、蒸発、変質が発生せず、殺菌効果を持続できる。
５．塩素系殺菌剤に比べて１０倍の殺菌効果があるので、微量な銀イオンで容易に殺菌でき、維持管理費の低減ができる。
６．日光で分解されないので非常に長い残留効果があり、水そのものに付加価値を持たせることができる。
７．タンパク質沈殿材として知られており、その働きで細菌の細胞の活動力を奪うと考えられている。
【００４０】
また、銀イオンの安全性として次のものがあげられる。
１．食器や医療器具などの殺菌を必要とするものなどに広く使用されている。
２．歯の治療材料などに使用されている。
３．電機用品の乙種として認定され、医療用物質生成機器の基準に適応している。
４．薬品のような不快な臭いや刺激が無く、取り扱い上の危険性がない。
５．水質を変化させない。
【００４１】
（３）活水処理部
図５は、管体１０内に収容される活水処理部の一例を示している。
この活水処理部４０は、銀イオン溶出部２０のカゴ状部材２１と同様、ステンレス製の骨材にステンレスのメッシュ材を溶接して組み立てたカゴ状部材４１に、以下の活水効能を有する鉱物およびそれらを利用して焼成したセラミックスなどを収容して形成されている。
【００４２】
収容される鉱物の一例として、麦飯石４２ａ、トルマリン、４２ｂ、ゼオライト４２ｃがあげられる。いずれも活水効能を有する鉱物として広く認知され、利用されているものである。
また、こらの鉱物を含めるなどして焼成して活水効能を呈するようにしたセラミックス４２ｄを収容することも可能である。セラミックス４２ｄの場合は、形状の自由度が高く、上述したように水圧に耐えつつ水との接触面積が大きくしやすい筒状に形成することも容易である。
【００４３】
このような鉱物を利用する活水化の手法に加え、磁気式水処理を採用することもできる。磁気式水処理には各種の手法が存在するが、本実施形態では、図６および図７に示す磁気式水処理装置を利用している。
【００４４】
図に示す磁気式水処理装置５０は、複数の円柱状の強磁性体５１ａの間に四分円形状の磁気誘導板（部材）５１ｂを介在せしめて上下方向に連結させた磁気ユニット５１を、両端の十時形保持部材５２にて四つ並べて保持して形成されている。十時形保持部材５２は、強磁性体５１ａを介して支持される四分円形状の磁気誘導板５１ｂをそれぞれ所定間隔だけ隔てて保持することになり、四つの磁気誘導板５１ｂにおける外側の曲面部分は円形を形成する。
【００４５】
強磁性体５１ａの磁力線は磁気誘導板５１ｂに導かれ、隣接する磁気誘導板５１ｂの間で強い磁界を形成する。この強い磁界の間を比較的早く水が流下していくことにより、強力な活水効果を呈する。
むろん、活水処理部の形状、構成などは適宜変形することが可能であり、素材や原理としても様々な手法を採用することができる。
また、活水処理部においても様々な部分に銀を利用することが可能である。例えば、上記カゴ状部材４１を銀で製作したり、銀メッキを施しても良い。さらに、磁気式水処理装置５０における非磁性体部分については銀製品を利用したり、磁性体部分であっても銀メッキを施すようにしても良い。
【００４６】
（４）相乗効果について
銀による殺菌効果それ自体は十分に満足のいくものであるが、一定の溶解度も必要とされる。これに対して、直接的には、銀製溶出源を上述したような形状とすることで溶出度を向上させて対応している。しかし、本発明は単に銀イオンだけの殺菌効果に依存するものではなく、活水処理部の活水効果を利用することにより銀イオンの持つ優れた優位点を相乗的に引き上げている。
【００４７】
例えば、図１に示すようにユニット化した銀イオン溶出部と活水処理部を収容できる収容空間は３つ（Ａ，Ｂ，Ｃ）用意されている。銀イオンの溶出量を確保するために二つの空間を銀イオン溶出部に割り当てて残りの一つの空間を活水処理部に割り当てるか、活水効果の向上を優先させて二つの空間を活水処理部に割り当てて残りの一つの空間を銀イオン溶出部に割り当てるかは状況に応じて適宜選択すればよい。このように適宜組み合わせを変更できる点はユニット化することのメリットである。
【００４８】
むろん、ユニットの大きさや管体の大きさについて特に限定されるものではない。従って、各種のサイズの管体に対して上記ユニットを装着可能な大きさとして設計し、様々な分野において適用することが可能である。
いずれの例においても、活水処理部で水が活性化すると、ぬめりなどのスライムが発生しにくくなる。これは水自体の除菌効果であるが、スライムの減少が細菌の温床を減らすことになる。
【００４９】
これに加えて微量ではあるが銀イオンが常に所定量だけ水に溶出してくるので、優れた殺菌効果を得られる。その上、細菌の温床が減るので、残った細菌がスライム中で増殖してしまう可能性を可能な限り低減させる。
従って、瞬間的な殺菌のみならず、水の配管経路において細菌が生き残り、繁殖する可能性を全ての面から減らすことができ、安全性を保持した高い除菌性能を呈することができる。
【００５０】
このように、管体１０内に銀イオン溶出部２０，３０と活水処理部４０を収容した状態で、入出水口１１を介して水を流下させるようにしたため、銀イオンの溶出に伴う殺菌と、活水処理された水の持つ除菌と、細菌の温床となるスライムの抑制により、相乗的に除菌性能を向上させることができる。
【図面の簡単な説明】
【図１】本発明の一実施形態にかかる水除菌装置の概略構成を示す断面図である。
【図２】銀イオン溶出部の一例を示す図である。
【図３】銀イオン溶出部の他の例を示す図である。
【図４】銀イオン溶出部の他の例を示す図である。
【図５】活水処理部の一例を示す図である。
【図６】活水処理部としての磁気式水処理装置の正面図である。
【図７】活水処理部としての磁気式水処理装置の側面図である。
【符号の説明】
１０…管体
２０，３０…銀イオン溶出部
４０…活水処理部
５０…磁気式水処理装置
【図１】
2004195313.tif 000003
【図２】
2004195313.tif 000004
【図３】
2004195313.tif 000005
【図４】
2004195313.tif 000006
【図５】
2004195313.tif 000007
【図６】
2004195313.tif 000008
【図７】
2004195313.tif 000009